(57)【特許請求の範囲】
【請求項１】
タッチパネルを備えた端末で実行されるゲームであってユーザによる前記タッチパネルに対する操作に応じて仮想空間内における飛翔体の移動が制御されるゲームプログラムであって、
前記端末を、
前記タッチパネルの目標点に対して、長押し操作がされた場合に、当該長押し操作がされている間、当該目標点の周囲に複数の操作キーを表示する操作キー表示部、
前記操作キーが表示されている際に、前記長押し操作に伴う前記タッチパネルとの接触状態を維持しつつ、当該複数の操作キーのいずれかに対して接触操作が行われたか否かを判定する操作キー判定部、
前記接触操作が行われたと判定された前記操作キーの、前記目標点に近い側の一端から逆の他端に向けて反復移動するカーソルを表示するカーソル表示部、
前記飛翔体を、
ｉ）前記目標点に向かって、
ｉｉ）前記接触操作が行われたと判定された前記操作キーに予め割当てられた移動経路に沿って、
ｉｉｉ）前記接触操作が終了したときにおける前記カーソルの位置に応じた速さで、
前記仮想空間内を移動させる飛翔体制御部、
として機能させる
ゲームプログラム。
【請求項２】
請求項１に記載のゲームプログラムであって、
前記ゲームは相手バッターに対して投球動作を行う要素を含む野球ゲームであり、
前記操作キーに予め割当てられた前記移動経路は、前記投球動作の球種に対応し、
前記操作キーの当該目標点の周囲における表示位置は、前記相手バッターの立ち位置によって変化する、
ゲームプログラム。
【発明の詳細な説明】
【技術分野】
【０００１】
本発明は、ユーザインターフェースプログラムに関し、特に、スマートフォン端末、タブレット端末等のタッチパネルを有する端末上で実行されるゲームに使用されるユーザインターフェースプログラム及び当該ユーザインターフェースプログラムを備えるゲームプログラムに関する。
【背景技術】
【０００２】
従来より、ゲーム業界においては様々なゲームがリリースされており、これに伴ってゲームの操作方法も多種多様なものが提案されている。このような操作方法のひとつとして、タッチパネルに表示されたゲームオブジェクト（例えば、プレイヤキャラクタ）をユーザの指等で直接操作する技術が提案されており、ユーザビリティを向上させることでよりゲームを楽しめる工夫がなされている（例えば、特許文献１及び特許文献２参照）。
【０００３】
特許文献１に開示された技術は、ゲーム機を片手で保持しながらタッチペンで指示を出すことによりゲームオブジェクトを制御するものである。特許文献２に開示された技術はタッチパネル上の左右に複数の指示キーを表示させ左右の手で機器を保持しつつ当該指示キーをタッチ等させることによってゲームオブジェクトを制御するものである。
【先行技術文献】
【特許文献】
【０００４】
【特許文献１】特開２００７−２６１２９号公報
【特許文献２】特開２０１２−１６８９３１号公報
【発明の概要】
【発明が解決しようとする課題】
【０００５】
上述したゲームのジャンルのひとつとして、ゲームの仮想空間内において野球ゲーム等の球技ゲームが提案されている。例えば、野球ゲームにおいては、ピッチャーは、投球目標点、球種及び速度の２つのパラメータを操作するものが一般的であり、これらの操作は、タッチパネル上に予め表示されるボタン（球種選択用のボタン等）や、画面の両端に設けられ選択した時にだけ開くメニュー等を組み合わせて操作する物が一般的であった。
【０００６】
一方、近年、スマートフォン等に代表される小型の携帯端末の普及が急速に進み、このような携帯端末上で実行されるゲームも数多くリリースされている。多くのスマートフォンは、縦方向に保持した際に片手で操作できる大きさに設計されているため、ユーザは、片手で縦型の筐体を保持しつつ当該保持している手の親指のみでタッチパネルを操作することが通常である。
【０００７】
このようなスマートフォンにおいて上記の投球操作を簡単に行えるようにする場合、従来のように、球種選択用のボタンは画面内に配置しなければならず、ゲーム進行の邪魔とならずに恒常的に表示させておくためにはその表示位置は必然的に画面の端としなければならない。この場合、操作用のボタンの位置によっては、その都度親指を大きく移動させたり、スマートフォンの持ち替えが必要となったりして不便である。また、ユーザの手の大きさによる親指の可動範囲の大小がゲームプレイにおける有利・不利を左右してしまうという問題が生まれる。
【０００８】
そこで、本発明は、片手で操作可能であるというスマートフォンの利点を維持することを前提に、特に、野球ゲームにおける投球時の操作を一本の指（親指）のみで容易に且つスピーディーに行うことのできるゲームプログラムを提供することを目的とする。
【課題を解決するための手段】
【０００９】
本発明によれば、第１のゲームプログラムとして、
タッチパネルを備えた端末で実行されるゲームであってユーザによる前記タッチパネルに対する操作に応じて仮想空間内における飛翔体の移動が制御されるゲームプログラムであって、
前記端末を、
前記タッチパネルの目標点に対して、長押し操作がされた場合に、当該長押し操作がされている間、当該目標点の周囲に複数の操作キーを表示する操作キー表示部、
前記操作キーが表示されている際に、前記長押し操作に伴う前記タッチパネルとの接触状態を維持しつつ、当該複数の操作キーのいずれかに対して接触操作が行われたか否かを判定する操作キー判定部、
前記飛翔体を、
ｉ）前記目標点に向かって、
ｉｉ）前記接触操作が行われたと判定された前記操作キーに予め割当てられた移動経路に沿って、
ｉｉｉ）前記接触操作が終了したときにおける前記目標点から前記接触操作が終了した点までの距離に応じた速さで、
前記仮想空間内を移動させる飛翔体制御部、
として機能させる
ゲームプログラムが得られる。
【００１０】
本発明によれば、第１のゲームプログラムとして、第２に記載のゲームプログラムであって、
前記ゲームは相手バッターに対して投球動作を行う要素を含む野球ゲームであり、
前記操作キーに予め割当てられた前記移動経路は、前記投球動作の球種に対応し、
前記操作キーの当該目標点の周囲における表示位置は、前記相手バッターの立ち位置によって変化する、
ゲームプログラムが得られる。
【発明の効果】
【００１１】
本実施の形態によれば、特に、野球ゲームのような投球操作を有するゲームにおいて、投球の目標点、球種、速度の３つの要素を親指一つの操作で行うことができる。
【００１２】
また、当該操作キーを長押し操作がされた長押し点の周囲に配置されるように表示したことから切替え操作に伴う指の移動負担を最小限に抑えることができる。
【００１３】
更に、目標点の設定、球種の選択及び速度の操作までの一連の操作を親指を離すことなく行うことができるため、スピーディな操作が可能になると共に、操作性を向上させることができる。
【図面の簡単な説明】
【００１４】
【図１】本発明の第１の実施の形態によるゲームプログラムが実行される携帯端末の外観図である。
【図２】図１の携帯端末の構成を模式的に示すブロック図である。
【図３】図１の携帯端末における、ユーザの操作の検出、検出に基づく制御、制御の結果の表示の流れを示すブロック図である。
【図４】第１の実施の形態によるゲームプログラムにより実行されるゲームの投球操作の開始時の画面例である。
【図５】図４に続いて、ユーザが目標設定エリア内で長押し操作を行ったときの画面例である。
【図６】図５に続いて、表示された操作キーの「カーブ」に対して接触操作を行ったときの画面例である。
【図７】図６の操作キーを詳細に示した図である。
【図８】図６の操作キーが表示される際の演出を表した図である。なお、他の操作キーは図示していない。
【図９】ユーザにより選択された操作キー内に反復移動するカーソルが表示されていることを示す図である。
【図１０】ユーザにより選択された操作キー内に反復移動するカーソルが表示されていることを示す他の図である。
【図１１】選択された操作キーに割当てられた経路に沿って移動するボールが目標点に向かって移動する様子を表す図である。
【図１２】選択された操他の作キーに割当てられた経路に沿って移動するボールが目標点に向かって移動する様子を表す図である。
【図１３】選択された他の操作キーに割当てられた経路に沿って移動するボールが目標点に向かって移動する様子を表す図である。
【図１４】本発明の第２の実施の形態によるゲームプログラムにより実行されるゲームの投球操作において、操作キー「カーブ」に向けて接触点を移動させた状態を示す図である。
【図１５】図１４の操作キー及び弾性オブジェクトの詳細わ示す図である。
【図１６】本発明の第２の実施の形態によるゲームプログラムにより実行されるゲームの画面例である。
【図１７】本発明の第２の実施の形態によるゲームプログラムにより実行されるゲームの他の画面例である。
【図１８】本発明の第２の実施の形態によるゲームプログラムにより実行されるゲームの他の画面例である。
【図１９】本発明の第２の実施の形態によるゲームプログラムにより実行されるゲームの他の画面例である。
【図２０】ユーザの指とタッチパネルとの接触点の位置、及び、ゲームプログラムにより実行されるイベントの内容を経時てきに表したチャートである。
【発明を実施するための形態】
【００１５】
（第１の実施の形態）
本発明の第１の実施の形態によるゲームプログラムは、タッチパネルを備えた端末で実行されるゲームである。当該ゲームは、ユーザによるタッチパネルに対する操作に応じて仮想空間内における飛翔体（ボール、シャトル、羽等）の移動が制御され、これによりゲームが進行する。以下の説明においては、野球ゲームの投球操作を例に取って説明するが、本発明の適用可能なゲームは野球のみならず、ゴルフ、テニス、バスケットボール、サッカー、バドミントン等飛翔体を相手側に向かって飛ばすことをゲーム進行の一要素としているゲーム（主に球技）全般に適用可能である。
【００１６】
図１に示されるように、スマートフォン１は、タッチパネル２を備えており、ユーザは当該タッチパネル２を介してゲームキャラを操作することができる。なお、本実施の形態によるユーザインターフェースプログラムが実行される端末は、スマートフォン１に限られず、例えば、ＰＤＡ、タブレット型コンピュータ等のデバイス等タッチパネルを備える端末であれば実行可能である。
【００１７】
図２に示されるように、スマートフォン１は、互いにバス接続されたＣＰＵ３、主記憶４、補助記憶５、送受信部６、表示部７及び入力部８を備えている。このうち主記憶３は例えばＤＲＡＭなどで構成されており、補助記憶４は例えばＨＤＤなどで構成されている。補助記憶４には、本実施の形態によるユーザインターフェースプログラムが格納されている。ユーザインターフェースプログラムは、主記憶３上に展開されＣＰＵ２によって実行される。なお、主記記憶３上には、ＣＰＵ３がユーザインターフェースプログラムに従って動作している間に生成したデータやＣＰＵ３によって利用されるデータも一時的に格納される。送受信部５はＣＰＵ３の制御によりスマートフォン１とネットワークとの接続を確立する。入力部８は、ユーザのタッチパル２に対する操作を検知して、端末に対して何らかの操作があったことを検知する。
【００１８】
本実施の形態における表示部６及び入力部８は上述したタッチパネル２に相当し、図３に示されるように、入力部８に相当するタッチセンシング部３０１と表示部６に相当する液晶表示部３０２とを有している。タッチパネル２は、ＣＰＵ２の制御の下、画像を表示して、プレイヤによるインタラクティブなタッチ操作（タッチパネル２における物理的接触操作等）を受け付け、制御部３０３の制御に基づいてそれに対応するグラフィックを液晶表示部３０２に表示する。具体的には、上記タッチセンシング部３０１はプレイヤによるタッチ操作に応じた操作信号を制御部３０３へ出力する。プレイヤのタッチ操作は、プレイヤの指によりなされても良いし、スタイラス等でも良い。タッチセンシング部は、例えば、静電容量タイプのものを採用することができるが、これに限定されるものではない。制御部３０３は、タッチセンシング部３０１からの操作信号を検出すると、ユーザキャラへの操作指示として判断し、当該指示操作に応じた画像（図示せず）を液晶表示部へ表示信号として送信する制御を行う（詳しくは後述する）。液晶表示部３０２は、表示信号に応じたグラフィックを表示する。
【００１９】
以下、図４乃至図１１を参照して、本実施の形態によるゲームプログラムがスマートフォン１をどのように機能させることによって、野球ゲームを実行するかについて説明する。
【００２０】
＜目標点設定部＞
図４に示されるように、投球操作時においては、タッチパネル２に、相手バッター１０と、目標点設定エリア４００が表示される。ユーザは、目標点設定エリアのいずれかの場所に接触操作することにより当該接触点が目標点４５０として設定される。本実施の形態においては、目標点４５０として十字のマーカーが表示されるが形状はこれに限られない。なお、後述するように、目標点４５０は、投球したボールの到着地点である。図５以降図１１までにおいては、図示を明確にするため、タッチパネル２を省略する。
【００２１】
＜操作キー表示部＞
ユーザが目標点４５０を設定するための接触操作を所定時間行った場合（即ち、目標点設定エリア４００内で長押し操作を行った場合）、図５に示されるように、当該長押し操作がされている間（即ち、長押し操作に伴う接触状態がが維持されている間）だけ、目標点４５０の周囲に複数の操作キー５００が表示される（図においては、ユーザの指は図示を省略されている。）。なお、長押し操作を行い、いずれの操作キー５００にも接触せずに長押し操作を終了した場合、操作キー５００は、タッチパネル２から消える。
【００２２】
本実施の形態においては、「カーブ」、「シュート」及び「フォーク」という球種が表示された各操作キー５００が略１２０度の等間隔で表示される。なお、例えば、「フォークボールは下に落ちる」、「カーブは（右打者（三塁側のバッターボックスに建ってバッティングを行う者）にとっては）右方向から左にかけて落ちていく」等の直感的に球種を判断させるために、球種が表示される各操作キー５００の位置を変更しても良い。本実施の形態においては、目標点４５０の右上に表示される操作キー５００に「カーブ」、目標点の左上に表示される操作キーに「シュート」、目標点の下に表示される操作キーに「フォーク」と表示されている。本実施の形態によるバッター１０は右打者であるため、「カーブ」と「シュート」の操作キー５００の位置を図のように配置したが、左打者の場合には、逆にしてもよい。
【００２３】
＜操作キー判定部＞
図６に示されるように、長押し操作によって操作キー５００が表示されている際に、当該長押し操作に伴うタッチパネルとの接触状態を維持したまま、タッチパネル２状で指を滑らせて、複数の操作キー５００のいずれかに対して接触操作が行われた場合、当該接触操作が行われた操作キー５００がユーザによって選択された選択操作キー（球種）として判定される。図に示される例では、「カーブ」が表示された操作キーが選択された場合の例を示している。
【００２４】
本実施の形態においては、図７に示されるように、操作キー５００は、操作キー５１０、５２０、５３０で構成されている。選択された操作キーの判定方法は、操作キーに現に接触している場合（図７のＰ１の経路で指が移動したとき）はその接触している（即ち、指の下に表示される）操作キーが選択されたと判定し、操作キーに接触していない場合（例えば、カーブの操作キー５２０に接触しつつ通り越して操作キー５２０外の部分に接触操作を続けている場合：図７のＰ２の経路で指が移動したとき）にも、一度接触した操作キーである操作キー５２０が選択されたものとして判定される。なお、複数の操作キーに接触した場合（例えば、長押し操作後、接触操作を維持したまま、シュートの操作キー５１０、続いてカーブの操作キー５２０に接触して接触操作を続けている場合：図７のＰ３の経路で指が移動したとき）最後に接触した操作キーである操作キー５２０が選択されたものとして判定される。
【００２５】
本実施の形態による操作キー５００は、当該操作キーが表示される際に、図８に示されるように弾性を有する物体として挙動するように表示され、目標点４５０に近い方から弾性的変形しつつ表示される。詳しくは、ユーザによる長押し操作が行われると、操作キー５１０（図示しない操作キー５２０、５３０も同様である）は、形状６１０−１、形状６１０−２及び形状６１０−３を経て操作キー５１０の形状に変形する。このようなポップアップ感を出す表示を行うことにより、操作の特別感を演出することができる。なお、弾性の挙動を付与する方法としては、例えば、操作キー５１０を分割された複数の板状ポリゴン等により構成し、各頂点の座標をシミュレートすることによって弾性変形を表現すればよい。
【００２６】
＜カーソル表示部＞
図９及び図１０に示されるように、接触操作が行われたと判定された操作キー内には、目標点４５０に近い側の一端５１２から逆の他端５１４に向けて当該操作キー内を反復移動するカーソル５１６が表示される。カーソル５１６は、一端５１２から逆の他端５１４に向けた移動を基本移動とし、ユーザの指が接触状態にある間、当該基本移動を繰り返す。カーソルの移動方向後方は操作キーとは別の色で塗りつぶされている（図のハッチングの部分）。本実施の形態においては、当該グラフィックの境界部分（最先の部分）移動するカーソルとして機能する。なお、塗りつぶしをせずに単に棒状のカーソル５１６を移動させることを繰り返してもよい。また、カーソル５１６の移動方向は、一端５１２から逆の他端５１４に向けた一方向であったが、一端５１２と逆の他端５１４との間を行ったり来たりするように移動することとしてもよい。カーソル５１６が表示されている間に接触状態を解除すると投球が開始される。このとき、カーソル５１６の位置が他端５１４に近ければ近いほど球速が相対的に早くなるように設定されている。従って、早い球を投げたい場合、ユーザは、カーソル５１６が他端５１４に近くなったタイミングで接触状態を解除すれば（指を離せば）よい。
【００２７】
＜飛翔体制御部＞
以上の操作によって、投球ボールのｉ）目標点が設定され、ｉｉ）球種（カーブ）が選択され、ｉｉｉ）球速が設定される。この３つの情報に基づいて、ゲームプログラムは、仮想空間内に投球されたボールを描画する。即ち、図１１に示されるように、目標点４５０に向かって、球種「カーブ」に割当てられた移動経路Ｃ１に沿って、ボールが移動するように描画される。なお、経路Ｃ１はタッチパネル２上に表示してもしなくてもよい。
【００２８】
上述した実施の形態は、操作キー選択時において、「カーブ」が選択された場合を説明したが、例えば、「フォーク」及び「シュート」が選択された場合には夫々図１２図及び１３のような軌跡を描いて目標点に到達する。
【００２９】
（第２の実施の形態）
本発明の第２の実施の形態は、上述した第１の実施の形態によるゲームプログラムの変形例であり、具体的には、球速を設定する表示（第１の実施の形態において、カーソル５１６の表示：図９及び図１０）の構成が異なる。
【００３０】
＜目標点設定部＞
第２の実施の形態によるゲームプログラムも、上述した第１の実施の形態によるゲームプログラムと同様に、図４に示されるように、投球操作時においては、タッチパネル２に、相手バッター１０と、目標点設定エリア４００が表示される。ユーザは、目標点設定エリアのいずれかの場所に接触操作することにより当該接触点が目標点４５０として設定される。本実施の形態においては、目標点４５０として十字のマーカーが表示されるが形状はこれに限られない。なお、後述するように、目標点４５０は、投球したボールの到着地点である。図５以降図１１までにおいては、図示を明確にするため、タッチパネル２を省略する。
【００３１】
＜操作キー表示部＞
また、ユーザが目標点４５０を設定するための接触操作を所定時間行った場合（即ち、目標点設定エリア４００内で長押し操作を行った場合）、図５に示されるように、当該長押し操作がされている間（即ち、長押し操作に伴う接触状態がが維持されている間）だけ、目標点４５０の周囲に複数の操作キー５００が表示される（図においては、ユーザの指は図示を省略されている。）。なお、長押し操作を行い、いずれの操作キー５００にも接触せずに長押し操作を終了した場合、操作キー５００は、タッチパネル２から消える。
【００３２】
本実施の形態においては、「カーブ」、「シュート」及び「フォーク」という球種が表示された各操作キー５００が略１２０度の等間隔で表示される。なお、例えば、「フォークボールは下に落ちる」、「カーブは（右打者（三塁側のバッターボックスに建ってバッティングを行う者）にとっては）右方向から左にかけて落ちていく」等の直感的に球種を判断させるために、球種が表示される各操作キー５００の位置を変更しても良い。本実施の形態においては、目標点４５０の右上に表示される操作キー５００に「カーブ」、目標点の左上に表示される操作キーに「シュート」、目標点の下に表示される操作キーに「フォーク」と表示されている。本実施の形態によるバッター１０は右打者であるため、「カーブ」と「シュート」の操作キー５００の位置を図のように配置したが、左打者の場合には、逆にしてもよい。
【００３３】
＜操作キー判定部＞
図６に示されるように、長押し操作によって操作キー５００が表示されている際に、当該長押し操作に伴うタッチパネルとの接触状態を維持したまま、タッチパネル２上で指を滑らせて、複数の操作キー５００のいずれかに対して接触操作が行われた場合、当該接触操作が行われた操作キー５００がユーザによって選択された選択操作キー（球種）として判定される。図に示される例では、「カーブ」が表示された操作キーが選択された場合の例を示している。
【００３４】
本実施の形態においては、図７に示されるように、操作キー５００は、操作キー５１０、５２０、５３０で構成されている。選択された操作キーの判定方法は、操作キーに現に接触している場合（図７のＰ１の経路で指が移動したとき）はその接触している（即ち、指の下に表示される）操作キーが選択されたと判定し、操作キーに接触していない場合（例えば、カーブの操作キー５２０に接触しつつ通り越して操作キー５２０外の部分に接触操作を続けている場合：図７のＰ２の経路で指が移動したとき）にも、一度接触した操作キーである操作キー５２０が選択されたものとして判定される。なお、複数の操作キーに接触した場合（例えば、長押し操作後、接触操作を維持したまま、シュートの操作キー５１０、続いてカーブの操作キー５２０に接触して接触操作を続けている場合：図７のＰ３の経路で指が移動したとき）最後に接触した操作キーである操作キー５２０が選択されたものとして判定される。
【００３５】
＜弾性体表示部＞
第２の実施の形態においては、図６及び図７に示されるように操作キーを選択した場合、タッチパネル２上に、図１４に示されるような、弾性体オブジェクト５５０が表示される。弾性体オブジェクトは、目標点４５０からユーザの接触点に向けて伸びるように表示され、先端に向けて細い。弾性体オブジェクト５５０の先端は、ユーザの指（指とタッチパネル２の接触点）の動きに追従するように変位・変形する。本実施の形態においては、ユーザの接触操作が終了したときにおける目標点４５０から接触操作が終了した点（指とタッチパネル２との接触が解除された点）までの距離Ｌ（図５参照）に応じた速さで球速が決定される。従って、第１の実施の形態とは異なり、投球するボールに緩急をつけやすい。なお、操作キー５００のポップアップと同様に、弾性体オブジェクト５５０の弾性の挙動を付与する方法としては、例えば、操作キー５１０を分割された複数の板状ポリゴン等により構成し、各頂点の座標をシミュレートすることによって弾性変形を表現すればよい。
【００３６】
＜飛翔体制御部＞
以上の操作によって、投球ボールのｉ）目標点が設定され、ｉｉ）球種（カーブ）が選択され、ｉｉｉ）上述したＬに応じた球速が設定される。この３つの情報に基づいて、ゲームプログラムは、仮想空間内に投球されたボールを描画する。即ち、第１の実施の形態と同様に、図１１に示されるように、目標点４５０に向かって、球種「カーブ」に割当てられた移動経路Ｃ１に沿って、ボールが移動するように描画される。なお、経路Ｃ１はタッチパネル２上に表示してもしなくてもよい。
【００３７】
図１６乃至図１９を参照して、実際の画面例を説明する。なお、図１６乃至図１９に示される画面例は、本発明の第２の実施によるゲームプログラムにより実行されるゲームの画面例である。図１６に示されるように、投球操作時においては、バッター１０と、目標設定エリア４００が表示される。ユーザが目標設定エリア４００のいずれかの点で接触した後にそのまま長押し操作をおこなうと、図１７に示されるような操作キー５００が表示される。図示される画面例においては、目標点に円形オブジェクト５０５が表示され、円形オブジェクト５０５から、真上、右、右下、真下、左下、左の６つの操作キーが表示されている。なお、図１５のように、各操作キーに球種の表示をしてもよい。続いて、図１８に示されるように、ユーザが右の操作キーに向けて接触位置を移動すると、弾性体オブジェクト５５０が接触点に追従するように伸び、更に、操作キー５００´が選択されたことをユーザに可視化するように操作キーが点滅する。更に、ユーザが接触位置を更に移動させ、図１９の状態の時にタッチパネルから指を離した際に、目標点から接触点までの距離Ｌに応じた球速で投球操作が開始される（投球の様子は図示せず）。本実施の形態においては、図１８及び図１９に示されるように、目標点から接触点までの距離Ｌによって、「シュートＬｖ２」から「シュートＬｖ３」へと表示が切り替わっており、球種の表示に加えて投球されるボールの速さをレベル別にしたものを表示している。
【００３８】
図２０に示されるように、上述した第１及び第２の形態においては、目標点の設定から投球描画が開始されるまでの間、ユーザの指とタッチパネルとは接触状態を維持している。即ち、長押し操作を開始するために座標Ｐ０に接触があったとき、当該座標Ｐ０を目標点として設定する（Ｓ１０１）。所定時間座標Ｐ０で接触点が移動しない場合（即ち、長押し操作がされた場合）、設定された目標点の周囲に複数の操作キーを表示する（Ｓ１０２）。続いて、ユーザが接触点を座標Ｐ０から操作キーが表示されているＰ１へ移動（この操作をスワイプ操作と呼ぶこともある。）して操作キーと接触すると、操作キー内にカーソルを表示する（Ｓ１０３）。この時、他の操作キーに触れず且つ接触状態を維持している限り、接触点はＰ１以外に移動していてもよい。これにより、ユーザは、カーソルを見やすい位置に指を移動し、タイミングを合わせることができる。そして、ユーザがカーソルのタイミングに合わせて接触状態を解除すると（即ち、タッチパネルから指を離すと）、投球描画が開始される（Ｓ１０４）
【００３９】
上述した実施形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００４０】
１        スマートフォン
２        タッチパネル
３        ＣＰＵ
４        主記憶
５        補助記憶
６        送受信部
７        表示部
８        入力部
３０１        タッチセンシング部
３０２        液晶表示部
３０３        制御部
４００        目標設定エリア
４５０        目標点
５００、５１０、５２０、５３０        操作キー
５１２        一端
５１４        他端
５１６        カーソル
５５０        弾性体オブジェクト
【図１】
0006626613.tif 000002
【図２】
0006626613.tif 000003
【図３】
0006626613.tif 000004
【図４】
0006626613.tif 000005
【図５】
0006626613.tif 000006
【図６】
0006626613.tif 000007
【図７】
0006626613.tif 000008
【図８】
0006626613.tif 000009
【図９】
0006626613.tif 000010
【図１０】
0006626613.tif 000011
【図１１】
0006626613.tif 000012
【図１２】
0006626613.tif 000013
【図１３】
0006626613.tif 000014
【図１４】
0006626613.tif 000015
【図１５】
0006626613.tif 000016
【図１６】
0006626613.tif 000017
【図１７】
0006626613.tif 000018
【図１８】
0006626613.tif 000019
【図１９】
0006626613.tif 000020
【図２０】
0006626613.tif 000021